(57)【要約】      （修正有）【課題】レギュラーコーヒーや茶葉などの各種抽出材料を同一の飲料容器で抽出でき、抽出材料を収納可能な濾過蓋付き飲料容器を提供する。【解決手段】濾過蓋付き飲料容器は、キャップアセンブリ１と、パッキンアセンブリ４と、本体２と、底蓋アセンブリと、を有し、本体２内に第１収納空間２１が形成され、パッキンアセンブリ４が第１収納空間２１を密封し、キャップアセンブリ１が本体２と接続され、底蓋アセンブリが本体２の下部と接続され、底蓋アセンブリは、底蓋３１と、濾過網蓋３２と、を備え、底蓋３１内に第２収納空間が形成され、濾過網蓋３２が第２収納空間内に設置され、濾過網蓋３２内に第３収納空間が形成され、濾過網蓋３２に濾過網片が設置され、濾過網蓋３２に折り畳み支持アセンブリ５が回転接続され、折り畳み支持アセンブリ５を回転することにより、収容位置、支持位置が形成される。【選択図】図２
0003227959.tif 000002
【実用新案登録請求の範囲】
【請求項１】
キャップアセンブリ（１）と、パッキンアセンブリ（４）と、本体（２）と、底蓋アセンブリ（３）と、を有し、前記本体（２）内に第１収納空間（２１）が形成され、前記パッキンアセンブリ（４）と前記本体（２）とが接続されて前記第１収納空間（２１）を密封し、前記キャップアセンブリ（１）が前記本体（２）と接続され、前記底蓋アセンブリ（３）が前記本体（２）の下部と接続される濾過蓋付き飲料容器であって、
前記底蓋アセンブリ（３）は、底蓋（３１）と、濾過網蓋（３２）と、を備え、
前記底蓋（３１）内に第２収納空間（３１２）が形成され、前記濾過網蓋（３２）が前記第２収納空間（３１２）内に設置され、
前記濾過網蓋（３２）内に第３収納空間（３２１）が形成され、前記濾過網蓋（３２）に第３収納空間（３２１）と連通する濾過網片（３２５）が設置され、
前記濾過網蓋（３２）に折り畳み支持アセンブリ（５）が回転接続され、折り畳み支持アセンブリ（５）を回転することにより、収容位置、支持位置が形成され、
前記支持位置になる場合、前記折り畳み支持アセンブリ（５）が外側へ展開されて濾過網蓋（３２）を支持し、前記収容位置になる場合、前記折り畳み支持アセンブリ（５）が内側へ収縮して濾過網蓋（３２）に収容される
ことを特徴とする濾過蓋付き飲料容器。
【請求項２】
前記折り畳み支持アセンブリ（５）は、少なくとも２つの折り畳み支持部材（５１）と、前記濾過網蓋（３２）と回転接続される回転リング（５２）と、を備え、
前記折り畳み支持部材（５１）の一端が前記濾過網蓋（３２）の側壁に接続され、折り畳み支持部材（５１）の他端が前記回転リング（５２）に接続され、前記折り畳み支持部材（５１）に湾曲部（５３）が設けられ、
前記回転リング（５２）が回転されると、前記折り畳み支持部材（５１）の他端が摺動駆動され、前記収容位置、支持位置が形成され、
前記折り畳み支持部材（５１）が支持位置になると、前記湾曲部（５３）が外側へ展開されて濾過網蓋（３２）を支持し、前記折り畳み支持部材（５１）が収容位置になると、前記湾曲部（５３）が内側へ収縮して濾過網蓋（３２）に収容される
ことを特徴とする請求項１に記載の濾過蓋付き飲料容器。
【請求項３】
前記折り畳み支持部材（５１）の一端に接続孔（５１３）が設けられ、前記濾過網蓋（３２）の側壁に前記接続孔（５１３）と対応する接続リブ（３２２）が設けられ、前記折り畳み支持部材（５１）の一端が前記接続孔（５１３）及び接続リブ（３２２）を介して前記濾過網蓋（３２）と接続されることを特徴とする請求項２に記載の濾過蓋付き飲料容器。
【請求項４】
前記折り畳み支持部材（５１）の他端に係合突起（５１１）が設けられ、前記回転リング（５２）に前記係合突起（５１１）と対応する係合溝（５２２）が設けられ、前記係合突起（５１１）の底部に、前記係合溝（５２２）の内壁に係入するアンダーカット（５１２）が設けられ、前記折り畳み支持部材（５１）の他端が前記係合溝（５２２）及び係合突起（５１１）を介して前記回転リング（５２）と接続されることを特徴とする請求項２に記載の濾過蓋付き飲料容器。
【請求項５】
前記湾曲部（５３）に、湾曲補助溝（５４）がさらに設けられることを特徴とする請求項２に記載の濾過蓋付き飲料容器。
【請求項６】
前記湾曲補助溝（５４）が３つあり、そのうちの１つの湾曲補助溝（５４）が前記湾曲部（５３）の中央部の内側に位置し、残りの２つの湾曲補助溝（５４）が前記湾曲部（５３）の端部の外側に位置することを特徴とする請求項５に記載の濾過蓋付き飲料容器。
【請求項７】
前記回転リング（５２）の内部に制限リブ（５２１）が設けられ、前記濾過網蓋（３２）に前記制限リブ（５２１）と対応する第１リミット溝（３２３）、第２リミット溝（３２４）が設けられ、
前記折り畳み支持部材（５１）が収容位置になると、前記制限リブ（５２１）が前記第１リミット溝（３２３）に係入し、前記折り畳み支持部材（５１）が支持位置になると、前記制限リブ（５２１）が前記第２リミット溝（３２４）に係入する
ことを特徴とする請求項２に記載の濾過蓋付き飲料容器。
【請求項８】
前記折り畳み支持部材（５１）が３つあることを特徴とする請求項１に記載の濾過蓋付き飲料容器。
【請求項９】
前記底蓋（３１）の内壁に２つの長尺状リブ（３１１）が均一に分布されて設けられ、前記本体（２）の下部に前記長尺状リブ（３１１）と対応するスポット状突起（２２）が設けられ、
前記底蓋（３１）が本体（２）と接続されたとき、前記スポット状突起（２２）が前記長尺状リブ（３１１）の下方に位置し、前記底蓋（３１）の上下移動を制限する
ことを特徴とする請求項１に記載の濾過蓋付き飲料容器。
【請求項１０】
前記底蓋アセンブリ（３）は、前記第３収納空間（３２１）に置かれる内蔵収納カップ（３３）をさらに備え、
前記内蔵収納カップ（３３）は、第４収納空間（３３３）が形成される内側チャンバー体（３３２）と、前記内側チャンバー体（３３２）を閉止する内側チャンバー蓋（３３１）と、を備える
ことを特徴とする請求項１に記載の濾過蓋付き飲料容器。
【考案の詳細な説明】
【技術分野】
【０００１】
本考案は、飲料容器に関し、特に濾過蓋付き飲料容器に関する。
【背景技術】
【０００２】
人々の消費水準及び生活の質の向上にしたがって、アウトドア活動は、暇な時のストレス解消の有効手段となっている。したがって、持ち歩く飲料容器は、アウトドア活動時に水分及び栄養を補充するための不可欠のものとなっている。
【０００３】
現在、市販の飲料容器は、その機能が単一であり、液体を収納することしかできず、不純物を濾過する濾過装置を備えていない。飲料容器を用いてレギュラーコーヒー、茶葉などの各種の抽出材料から抽出を行うときには、例えば、コーヒーメーカー、茶抽出カップなどの異なる抽出装置が必要となる。しかしながら、通常、コーヒーメーカーなどのレギュラーコーヒーを抽出する装置を持ち歩くことはできないので、従来の飲料容器はインスタントコーヒーやドリップコーヒーを飲むために用いられることしかできず、アウトドアで本物のコーヒーを楽しむことができない。従来の飲料容器を用いて茶葉などの抽出材料から抽出を行うときには、通常、茶葉などの抽出材料を直接飲料容器内に入れて抽出を行うので、茶葉またはその他の抽出材料を液体から分離することができず、飲むときの口当たりや体験に影響を与え、利用者が飲むときに不便である。茶葉を濾過する機能を実現するため、通常、容器内部に濾過網を固定設置し、または、取り外し可能な濾過網を設置するが、このような濾過網の設置方式によって、飲料容器自身の空間を占めるのみならず、飲料容器内の茶葉などがずっと抽出状態になる。しかし、茶葉などのような長期抽出しない飲み物は、抽出を長期行うと、濃度が濃くなり、飲み物の口当たりを保つことに不利である。また、濾過網の洗浄が難しく、濾過効果も劣る。また、従来の飲料容器により、レギュラーコーヒーや、茶葉などの各種抽出材料の同一飲料容器での抽出、楽しみの目的を実現することができない。
【０００４】
また、従来の飲料容器内には、茶葉などの抽出材料を収納する空間が存在しておらず、飲料容器の携帯性の向上に不利であるので、改良する必要がある。
【考案の概要】
【考案が解決しようとする課題】
【０００５】
本考案は、従来技術における飲料容器の抽出対象が単一であり、飲み物の口当たりが悪く、濾過効果が劣るなどの欠陥を鑑みてなされたものであり、新たな濾過蓋付き飲料容器を提供する。
【課題を解決するための手段】
【０００６】
本考案は、上記の技術的課題を解決するためのものであり、以下の技術案で実現される。
濾過蓋付き飲料容器は、キャップアセンブリと、パッキンアセンブリと、本体と、底蓋アセンブリと、を有し、前記本体内に第１収納空間が形成され、前記パッキンアセンブリと前記本体とが接続されて前記第１収納空間を密封し、前記キャップアセンブリが前記本体と接続され、前記底蓋アセンブリが前記本体の下部と接続され、前記底蓋アセンブリは、底蓋と、濾過網蓋と、を備え、前記底蓋内に第２収納空間が形成され、前記濾過網蓋が前記第２収納空間内に設置され、前記濾過網蓋内に第３収納空間が形成され、前記濾過網蓋に第３収納空間と連通する濾過網片が設置され、前記濾過網蓋に折り畳み支持アセンブリが回転接続され、折り畳み支持アセンブリを回転することにより、収容位置、支持位置が形成され、前記支持位置になる場合、前記折り畳み支持アセンブリが外側へ展開されて濾過網蓋を支持し、前記収容位置になる場合、前記折り畳み支持アセンブリが内側へ収縮して濾過網蓋に収容される。
【０００７】
キャップアセンブリは、本体内の飲み物を収容することができ、パッキンアセンブリは、本体の開口部に締め付けられ、コーヒー、お茶、水などの各種の飲み物を収容するための本体の第１収納空間を密封するものである。底蓋アセンブリが本体の下部に位置し、飲料容器の使用空間を拡張するので、より多くの飲み物を収容することができるようになる。濾過網蓋が各種の飲み物の濾過に用いられ、濾過に用いられないときは、各種の抽出材料を収容することに用いられる。底蓋が濾過網蓋と合わせて使用され、底蓋の内部に形成された第２収納空間に、濾過網蓋を収容することができ、濾過網蓋により濾過した液体を収容することもできる。濾過網蓋に配置された折り畳み支持アセンブリは濾過網蓋を支持するためのものであり、折り畳み支持アセンブリを介して濾過網蓋を底蓋に置くことができるので、通常の濾過網蓋のように本体内に嵌合する必要がなく、濾過網蓋の使用がより自由になる。また、異なる飲み物の抽出に基づいて、濾過網蓋における濾過網片を濾過網蓋から取り外して、異なる枚数の濾過網片に交換することができるので、各種の飲み物の濾過要求を満足することができる。使用するときには、抽出材料の包装を引き裂いて、抽出材料、例えばコーヒー、茶葉などをキャップアセンブリに入れ、そして本体内の清潔な水を注ぎ、さらにキャップアセンブリで抽出した飲み物を濾過網蓋に注いで、濾過網蓋により飲み物における残滓を濾過するので、濾過して底蓋に入る飲み物に不純物がなくなる。
【０００８】
本考案は、キャップアセンブリ、パッキンアセンブリ、本体、底蓋及び濾過網蓋の間の組み合わせによって、飲料容器の収容及び使用空間をさらに増大させるとともに、濾過網蓋の濾過機能で飲み物における不純物を効果的に除去することができる。さらに、濾過網蓋は、その折り畳み支持アセンブリの折り畳み、支持機能により、それ自身が安定して底蓋またはキャップアセンブリなどに支持されることができるので、従来の濾過網蓋のように本体の内部に嵌合する必要がなく、濾過網蓋の使用自由度が向上する。これによって、使用するときに、より多くの選択肢があり、コーヒー、茶葉などの飲み物に対する抽出及び濾過をスムーズに行うことができ、人々の生活要求を満足することができる。
【０００９】
好ましくは、上記の濾過蓋付き飲料容器において、前記折り畳み支持アセンブリは、少なくとも２つの折り畳み支持部材と、前記濾過網蓋と回転接続される回転リングと、を備え、前記折り畳み支持部材の一端が前記濾過網蓋の側壁に接続され、折り畳み支持部材の他端が前記回転リングに接続され、前記折り畳み支持部材に湾曲部が設けられ、前記回転リングが回転されると、前記折り畳み支持部材の他端が摺動駆動され、前記収容位置、支持位置が形成され、前記折り畳み支持部材が支持位置になると、前記湾曲部が外側へ展開されて濾過網蓋を支持し、前記折り畳み支持部材が収容位置になると、前記湾曲部が内側へ収縮して濾過網蓋に収容される。
【００１０】
折り畳み支持アセンブリが支持位置にあるときには、折り畳み支持部材を介して濾過網蓋が底蓋に支持されるので、飲み物を濾過網蓋に注入して濾過を行い、濾過した飲み物を底蓋に流すことができる。折り畳み支持部材の一端が濾過網蓋と接続され、他端が回転リングと接続され、回転リングを回転するだけで折り畳み支持部材の収容位置と支持位置との切り替えを実現できるので、使用の利便性が向上する。また、折り畳み支持部材における湾曲部の湾曲及び展開により折り畳み支持部材の支持位置、収容位置をすばやく実現することができるので、折り畳み支持部材の使用効率を向上させることができる。
【００１１】
好ましくは、上記の濾過蓋付き飲料容器において、前記折り畳み支持部材の一端に接続孔が設けられ、前記濾過網蓋の側壁に前記接続孔と対応する接続リブが設けられ、前記折り畳み支持部材の一端が前記接続孔及び接続リブを介して前記濾過網蓋と接続される。
【００１２】
折り畳み支持部材の一端に設けられた接続孔が濾過網蓋の側壁に設けられた接続リブと係合することで、折り畳み支持部材の一端と濾過網蓋とを接続するので、折り畳み支持部材と濾過網蓋との締結性を向上させ、折り畳み支持部材の折り畳み、収容の過程において折り畳み支持部材の一端が引っ張られて緩むことを防止することができる。これによって、折り畳み支持アセンブリの構成の安定性を確保しながら、折り畳み支持部材の支持効果を保つことができる。
【００１３】
好ましくは、上記の濾過蓋付き飲料容器において、前記折り畳み支持部材の他端に係合突起が設けられ、前記回転リングに前記係合突起と対応する係合溝が設けられ、前記係合突起の底部に、前記係合溝の内壁に係入するアンダーカットが設けられ、前記折り畳み支持部材の他端が前記係合溝及び係合突起を介して前記回転リングと接続される。
【００１４】
折り畳み支持部材の他端に設けられた係合突起が回転リングに設けられた係合溝と係合して、折り畳み支持部材の他端が回転リングと接続され、回転リングの回転により折り畳み支持部材の他端を回転駆動することによって、折り畳み支持部材の折り畳み及び収容が実現される。係合突起の底部に設けられたアンダーカットが係合溝の内壁に係入し、係合突起と係合溝との係合の締結性を向上させたので、回転リングによる折り畳み支持部材の他端に対する駆動効果がさらに向上する。
【００１５】
好ましくは、上記の濾過蓋付き飲料容器において、前記湾曲部に、湾曲補助溝がさらに設けられる。
【００１６】
折り畳み支持部材の折り畳み過程において、湾曲部に比較的大きい変形が発生し、比較的大きい弾性エネルギーが生じるので、湾曲部の更なる湾曲が阻止され、折り畳み支持部材の折り畳み操作が難しくなる。さらに、長期使用されると、折り畳み支持部材がひどく摩耗される。湾曲部に設けられた湾曲補助溝が湾曲部の湾曲を補助し、湾曲補助溝が湾曲部より薄く、湾曲及び折り畳みが容易に行われるので、折り畳まれて湾曲するときの湾曲部に生じる弾性エネルギーが小さくなり、折り畳まれて湾曲するときの操作がよりスムーズになるとともに、湾曲部が湾曲するときに受ける圧力を下降させることができる。これによって、折り畳み支持部材の長寿命化を実現することができる。
【００１７】
好ましくは、上記の濾過蓋付き飲料容器において、前記湾曲補助溝が３つあり、そのうちの１つの湾曲補助溝が前記湾曲部の中央部の内側に位置し、残りの２つの湾曲補助溝が前記湾曲部の端部の外側に位置する。
【００１８】
湾曲部が折り畳まれると、折り畳み支持部材の両端が濾過網蓋の側壁及び回転リングに固定されるので、湾曲部の端部で外側への折り畳みが生じる。この場合、折り畳まれる箇所に湾曲補助溝が設けられることで、折り畳まれる箇所の軟性を向上させることができるので、長期の折り畳みによる湾曲部の外側の断裂を防止することができるとともに、折り畳みの抵抗を小さくすることができる。さらに、湾曲部の中央部の内側に設けられた湾曲補助溝により、湾曲部の中央部の軟性を向上させ、その箇所の折り畳みの抵抗を小さくするので、折り畳まれた後の湾曲部がより安定になり、折り畳み支持部材の支持安定性がさらに向上する。
【００１９】
好ましくは、上記の濾過蓋付き飲料容器において、前記回転リングの内部に制限リブが設けられ、前記濾過網蓋に前記制限リブと対応する第１リミット溝、第２リミット溝が設けられ、前記折り畳み支持部材が収容位置になると、前記制限リブが前記第１リミット溝に係入し、前記折り畳み支持部材が支持位置になると、前記制限リブが前記第２リミット溝に係入する。
【００２０】
回転リングの内側に設けられた制限リブが、回転中に第１リミット溝、第２リミット溝に係入するので、折り畳み支持アセンブリが収容位置、支持位置になるとき、回転リングの位置を制限することができるとともに、折り畳み支持アセンブリが収容位置、支持位置になるときの安定性も保つことができる。また、係入状態の形成により、回転リングを回転するときの回転リングの完全装着状態を利用者に提示できるので、使用体験を改善することができる。
【００２１】
好ましくは、上記の濾過蓋付き飲料容器において、前記折り畳み支持部材が３つある。
【００２２】
折り畳み支持部材の個数を３つに設定することによって、折り畳み支持部材の支持安定性を確保できるとともに、加工のコスト及び複雑さを抑えることができる。
【００２３】
好ましくは、上記の濾過蓋付き飲料容器において、前記底蓋の内壁に２つの長尺状リブが均一に分布されて設けられ、前記本体の下部に前記長尺状リブと対応するスポット状突起が設けられ、前記底蓋が本体と接続されたとき、前記スポット状突起が前記長尺状リブの下方に位置し、前記底蓋の上下移動を制限する。
【００２４】
底蓋の内壁に設けられた長尺状リブが本体の下部に設けられたスポット状突起と対応し、底蓋が本体の下部に取り付けられたときには、長尺状リブがスポット状突起と係合するので、底蓋の上下移動が制限され、底蓋と本体との締結性が向上する。
【００２５】
好ましくは、上記の濾過蓋付き飲料容器において、前記底蓋アセンブリは、前記第３収納空間に置かれる内蔵収納カップをさらに備え、前記内蔵収納カップは、第４収納空間が形成される内側チャンバー体と、前記内側チャンバー体を閉止する内側チャンバー蓋と、を備える。
【００２６】
内蔵収納カップは、抽出材料の収容、保存に用いられる。そのうち、内側チャンバー体に抽出材料を収容するための第４収納空間が形成され、内側チャンバー蓋が第４収納空間を密封するように内側チャンバー体を閉止するので、抽出材料の保存の密封性を確保できるとともに、本考案の携帯性がさらに向上する。
【図面の簡単な説明】
【００２７】
【図１】本考案の構成模式図である。
【図２】本考案の断面図である。
【図３】図２のＡ部の部分拡大図である。
【図４】本考案の底蓋アセンブリの第１分解図である。
【図５】本考案の底蓋アセンブリの第２分解図である。
【図６】本考案の折り畳み支持アセンブリが支持位置になるときの構成模式図である。
【図７】本考案の折り畳み支持アセンブリが支持位置になるときの断面図である。
【図８】本考案の濾過網蓋の回転状態模式図である。
【図９】本考案の濾過網蓋の分解図である。
【考案を実施するための形態】
【００２８】
以下、図１〜図９及び具体的な実施形態を参照しながら本考案のより詳しく説明するが、これらは本考案を限定するものではない。
【実施例１】
【００２９】
濾過蓋付き飲料容器は、キャップアセンブリ１と、パッキンアセンブリ４と、本体２と、底蓋アセンブリ３と、を有する。前記本体２内に第１収納空間２１が形成され、前記パッキンアセンブリ４と前記本体２とが接続されて前記第１収納空間２１を密封する。前記キャップアセンブリ１が前記本体２と接続され、前記底蓋アセンブリ３が前記本体２の下部と接続される。前記底蓋アセンブリ３は、底蓋３１と、濾過網蓋３２とを備える。前記底蓋３１内に第２収納空間３１２が形成され、前記濾過網蓋３２が前記第２収納空間３１２内に設置される。前記濾過網蓋３２内に第３収納空間３２１が形成され、前記濾過網蓋３２に第３収納空間３２１と連通する濾過網片３２５が設置される。前記濾過網蓋３２に折り畳み支持アセンブリ５が回転接続され、折り畳み支持アセンブリ５を回転することにより、収容位置、支持位置が形成される。前記支持位置になる場合、前記折り畳み支持アセンブリ５が外側へ展開されて濾過網蓋３２を支持し、前記収容位置になる場合、前記折り畳み支持アセンブリ５が内側へ収縮して濾過網蓋３２に収容される。
【００３０】
使用する場合、まず、キャップアセンブリ１及びパッキンアセンブリ４を開き、本体２の第１収納空間２１に清潔な水を注ぎ、そして、パッキンアセンブリ４及びキャップアセンブリ１を順に本体２に接続する。そして、底蓋アセンブリ３を本体２の下部から取り外して、抽出材料を濾過網蓋３２内の第３収納空間３２１に入れ、さらに、底蓋アセンブリ３を本体２の下部に接続する。この状態で、飲料容器全体を持ち歩くことができる。
【００３１】
飲む際には、抽出材料を濾過網蓋３２の第３収納空間３２１から取り出し、抽出材料の外包装を引き裂いて抽出材料をキャップアセンブリ１に入れ、さらに本体２内の清潔な水を注ぎ、抽出を行う。ここでの抽出材料は、茶葉、レギュラーコーヒーであってもよいし、その他の抽出材料であってもよい。
【００３２】
お茶を抽出するときは、清潔な水を茶葉が入れられたキャップアセンブリ１内に注ぎ、しばらく静置しておく。そして、濾過網蓋３２における折り畳み支持アセンブリ５を収容位置から支持位置に切り替え、支持位置にある折り畳み支持アセンブリ５を介して濾過網蓋３２を底蓋３１上に置き、底蓋３１の開口部で濾過網蓋３２を支持するようにする。お茶を抽出した後、キャップアセンブリ１内の茶葉、お茶などをともに濾過網蓋３２の第３収納空間３２１に注入し、濾過網片３２５の濾過によって、お茶が濾過網片３２５を通過して底蓋３１の第２収納空間３１２に流入し、茶葉、不純物が濾過網蓋３２の第３収納空間３２１に残留する。これによってお茶の濾過が完了する。この後、濾過網蓋３２を取り外して、底蓋３１内のお茶を直接飲むことができる。
【００３３】
抽出材料がレギュラーコーヒーである場合、レギュラーコーヒーをキャップアセンブリ１に入れて、清潔な水を注ぎ、攪拌しておく。そして、濾過網蓋３２における折り畳み支持アセンブリ５を支持位置に切り替えて底蓋３１の開口部で濾過網蓋３２を支持するようにする。さらに、攪拌したキャップアセンブリ１内の液体を濾過網蓋３２の第３収納空間３２１に注入し、濾過網片３２５で濾過を行う。これによって、コーヒーが濾過網片３２５を通過して底蓋３１に流入し、コーヒーの濾過が完了する。レギュラーコーヒーの濾過効果を向上させるため、濾過網片３２５に濾紙をさらに設置してコーヒーに対して濾過を行うことができる。
【００３４】
なお、実際の使用時には、飲み物の種々の特性に応じて、異なる枚数の濾過網片３２５を使用することが可能である。これによって、さまざまな飲み物の濾過要求をより相応して満たすことができる。
【００３５】
好ましくは、前記折り畳み支持アセンブリ５は、少なくとも２つの折り畳み支持部材５１と、前記濾過網蓋３２と回転接続される回転リング５２と、を備える。前記折り畳み支持部材５１の一端が前記濾過網蓋３２の側壁に接続され、折り畳み支持部材５１の他端が前記回転リング５２に接続される。前記折り畳み支持部材５１に湾曲部５３が設けられる。前記回転リング５２が回転されると、前記折り畳み支持部材５１の他端が摺動駆動され、前記収容位置、支持位置が形成される。前記折り畳み支持部材５１が支持位置になると、前記湾曲部５３が外側へ展開されて濾過網蓋３２を支持するようになる。前記折り畳み支持部材５１が収容位置になると、前記湾曲部５３が内側へ収縮して濾過網蓋３２に収容される。
【００３６】
好ましくは、前記折り畳み支持部材５１の一端に接続孔５１３が設けられ、前記濾過網蓋３２の側壁に前記接続孔５１３と対応する接続リブ３２２が設けられ、前記折り畳み支持部材５１の一端が前記接続孔５１３及び接続リブ３２２を介して前記濾過網蓋３２と接続される。
【００３７】
好ましくは、前記折り畳み支持部材５１の他端に係合突起５１１が設けられ、前記回転リング５２に前記係合突起５１１と対応する係合溝５２２が設けられ、前記係合突起５１１の底部に、前記係合溝５２２の内壁に係入するアンダーカット５１２が設けられ、前記折り畳み支持部材５１の他端が前記係合溝５２２及び係合突起５１１を介して前記回転リング５２と接続される。
【００３８】
好ましくは、前記湾曲部５３に、湾曲補助溝５４がさらに設けられる。
【００３９】
好ましくは、前記湾曲補助溝５４が３つあり、そのうちの１つの湾曲補助溝５４が前記湾曲部５３の中央部の内側に位置し、残りの２つの湾曲補助溝５４が前記湾曲部５３の端部の外側に位置する。
【００４０】
好ましくは、前記回転リング５２の内部に制限リブ５２１が設けられ、前記濾過網蓋３２に前記制限リブ５２１と対応する第１リミット溝３２３、第２リミット溝３２４が設けられ、前記折り畳み支持部材５１が収容位置になると、前記制限リブ５２１が前記第１リミット溝３２３に係入し、前記折り畳み支持部材５１が支持位置になると、前記制限リブ５２１が前記第２リミット溝３２４に係入する。
【００４１】
好ましくは、前記折り畳み支持部材５１が３つある。
【００４２】
好ましくは、前記底蓋３１の内壁に２つの長尺状リブ３１１が均一に分布されて設けられ、前記本体２の下部に前記長尺状リブ３１１と対応するスポット状突起２２が設けられ、前記底蓋３１が本体２と接続されたとき、前記スポット状突起２２が前記長尺状リブ３１１の下方に位置し、前記底蓋３１の上下移動を制限する。
【００４３】
好ましくは、前記底蓋アセンブリ３が、前記第３収納空間３２１に置かれる内蔵収納カップ３３をさらに備え、前記内蔵収納カップ３３が、第４収納空間３３３が形成される内側チャンバー体３３２と、前記内側チャンバー体３３２を閉止する内側チャンバー蓋３３１とを備える。
【００４４】
具体的には、利用者が、外出前に本体２の第１収納空間２１にお湯を注ぎ、パッキンアセンブリ４及びキャップアセンブリ１を締めて保温し、さらに必要に応じて、内蔵収納カップ３３の内側チャンバー体３３２に１つまたは複数の抽出材料を入れて、密封するように内側チャンバー蓋３３１で閉止する。
【００４５】
利用者が外出して飲み物を飲むときには、底蓋３１を回転し、底蓋３１における長尺状リブ３１１と本体２の下部におけるスポット状突起２２とを脱離させて、本体２の下部から底蓋３１を取り外す。そして、濾過網蓋３２、内蔵収納カップ３３を順に取り出し、さらに内蔵収納カップ３３の内側チャンバー体３３２から抽出対象である材料を取り出して抽出材料の包装を引き裂き、その抽出材料をキャップアセンブリ１に入れて抽出を行う。そして、濾過網蓋３２の折り畳み支持アセンブリ５を収容位置から支持位置に切り替えて、底蓋３１の開口部で濾過網蓋３２を支持するようにする。具体的な操作は、以下のとおりである。利用者が、回転リング５２を回転して折り畳み支持部材５１の他端を回転駆動し、それと同時に湾曲補助溝５４が内側へ湾曲して折り畳まれる。折り畳み支持部材５１における湾曲部５３が回転リング５２の付勢力及び湾曲補助溝５４の補助作用により湾曲し、折り畳み支持部材５１が徐々に折り畳まれる。回転リング５２の内部に設けられる制限リブ５２１が第２リミット溝３２４に係入するまで回転リング５２が回転されるとき、折り畳み支持部材５１が図６に示す支持位置になり、さらに湾曲した折り畳み支持部材５１を介して濾過網蓋３２を底蓋３１に置く。このとき、湾曲した折り畳み支持部材５１が底蓋３１の開口部外にはみ出すので、底蓋３１の開口部で安定して濾過網蓋３２を支持することができる。飲み物の抽出が完了した後、利用者がキャップアセンブリ１における液体などをともに濾過網蓋３２の第３収納空間３２１に注入し、濾過網片３２５で濾過を行う。液体が濾過網片３２５を通過して底蓋３１に流入し、その他の固形物や、不純物などが濾過網蓋３２の第３収納空間３２１内に残留し、飲み物の濾過が完了する。濾過した後、濾過網蓋３２を取り外して、底蓋３１内の飲み物を直接飲むことができる。
【００４６】
利用者が飲み物を飲んだ後、濾過網蓋３２の折り畳み支持アセンブリ５を支持位置から収容位置に切り替える。具体的には、利用者が逆方向へ回転リング５２を回転させて折り畳み支持部材５１の他端を逆方向へ回転駆動し、それと同時に、湾曲補助溝５４が徐々に外側へ展開され、それに伴い、折り畳み支持部材５１における湾曲部５３が両側へ展開され、折り畳み支持部材５１が徐々に元の位置に戻る。回転リング５２の内部に設けられる制限リブ５２１が濾過網蓋３２における第１リミット溝３２３に係入するまで回転リング５２が回転されると、折り畳み支持部材５１が図４に示す収容位置になり、このとき、折り畳み支持部材５１における湾曲部５３が濾過網蓋３２と密着する。この場合、利用者は、濾過網蓋３２を底蓋３１の第２収納空間３１２に入れ、さらに内蔵収納カップ３３を濾過網蓋３２の第３収納空間３２１に入れることができる。入れた後、底蓋アセンブリ３を、長尺状リブ３１１、スポット状突起２２を介して本体２の下部に接続し、さらにパッキンアセンブリ４、キャップアセンブリ１を元の位置に取り付ける。これから、飲料容器をバックに置き戻すことができる。
【００４７】
以上により、上記内容は、本考案の好ましい実施例にすぎず、本考案の請求範囲をもとになされた同等の変更及び修正は、いずれも本考案の範囲内に属する。
【符号の説明】
【００４８】
１      キャップアセンブリ
２      本体
３      底蓋アセンブリ
４      パッキンアセンブリ
５      折り畳み支持アセンブリ
２１    第１収納空間
２２    スポット状突起
３１    底蓋
３２    濾過網蓋
３３    内蔵収納カップ
５１    折り畳み支持部材
５２    回転リング
５３    湾曲部
５４    湾曲補助溝
３１１  長尺状リブ
３１２  第２収納空間
３２１  第３収納空間
３２２  接続リブ
３２３  第１リミット溝
３２４  第２リミット溝
３２５  濾過網片
３３１  内側チャンバー蓋
３３２  内側チャンバー体
３３３  第４収納空間
５１１  係合突起
５１２  アンダーカット
５１３  接続孔
５２１  制限リブ
５２２  係合溝
【図１】
0003227959.tif 000003
【図２】
0003227959.tif 000004
【図３】
0003227959.tif 000005
【図４】
0003227959.tif 000006
【図５】
0003227959.tif 000007
【図６】
0003227959.tif 000008
【図７】
0003227959.tif 000009
【図８】
0003227959.tif 000010
【図９】
0003227959.tif 000011
【手続補正書】
【提出日】令和2年6月25日(2020.6.25)
【手続補正１】
【補正対象書類名】実用新案登録請求の範囲
【補正対象項目名】全文
【補正方法】変更
【補正の内容】
【実用新案登録請求の範囲】
【請求項１】
キャップアセンブリ（１）と、パッキンアセンブリ（４）と、本体（２）と、底蓋アセンブリ（３）と、を有し、前記本体（２）内に第１収納空間（２１）が形成され、前記パッキンアセンブリ（４）と前記本体（２）とが接続されて前記第１収納空間（２１）を密封し、前記キャップアセンブリ（１）が前記本体（２）と接続され、前記底蓋アセンブリ（３）が前記本体（２）の下部と接続される濾過蓋付き飲料容器であって、
前記底蓋アセンブリ（３）は、底蓋（３１）と、濾過網蓋（３２）と、を備え、
前記底蓋（３１）内に第２収納空間（３１２）が形成され、前記濾過網蓋（３２）が前記第２収納空間（３１２）内に設置され、
前記濾過網蓋（３２）内に第３収納空間（３２１）が形成され、前記濾過網蓋（３２）に第３収納空間（３２１）と連通する濾過網片（３２５）が設置され、
前記濾過網蓋（３２）に折り畳み支持アセンブリ（５）が回転接続され、折り畳み支持アセンブリ（５）を回転することにより、収容位置、支持位置が形成され、
前記支持位置になる場合、前記折り畳み支持アセンブリ（５）が外側へ展開されて濾過網蓋（３２）を支持し、前記収容位置になる場合、前記折り畳み支持アセンブリ（５）が内側へ収縮して濾過網蓋（３２）に収容される
ことを特徴とする濾過蓋付き飲料容器。
【請求項２】
前記折り畳み支持アセンブリ（５）は、少なくとも２つの折り畳み支持部材（５１）と、前記濾過網蓋（３２）と回転接続される回転リング（５２）と、を備え、
前記折り畳み支持部材（５１）の一端が前記濾過網蓋（３２）の側壁に接続され、折り畳み支持部材（５１）の他端が前記回転リング（５２）に接続され、前記折り畳み支持部材（５１）に湾曲部（５３）が設けられ、
前記回転リング（５２）が回転されると、前記折り畳み支持部材（５１）の他端が摺動駆動され、前記収容位置、支持位置が形成され、
前記折り畳み支持部材（５１）が支持位置になると、前記湾曲部（５３）が外側へ展開されて濾過網蓋（３２）を支持し、前記折り畳み支持部材（５１）が収容位置になると、前記湾曲部（５３）が内側へ収縮して濾過網蓋（３２）に収容される
ことを特徴とする請求項１に記載の濾過蓋付き飲料容器。
【請求項３】
前記折り畳み支持部材（５１）の一端に接続孔（５１３）が設けられ、前記濾過網蓋（３２）の側壁に前記接続孔（５１３）と対応する接続リブ（３２２）が設けられ、前記折り畳み支持部材（５１）の一端が前記接続孔（５１３）及び接続リブ（３２２）を介して前記濾過網蓋（３２）と接続されることを特徴とする請求項２に記載の濾過蓋付き飲料容器。
【請求項４】
前記折り畳み支持部材（５１）の他端に係合突起（５１１）が設けられ、前記回転リング（５２）に前記係合突起（５１１）と対応する係合溝（５２２）が設けられ、前記係合突起（５１１）の底部に、前記係合溝（５２２）の内壁に係入するアンダーカット（５１２）が設けられ、前記折り畳み支持部材（５１）の他端が前記係合溝（５２２）及び係合突起（５１１）を介して前記回転リング（５２）と接続されることを特徴とする請求項２に記載の濾過蓋付き飲料容器。
【請求項５】
前記湾曲部（５３）に、湾曲補助溝（５４）がさらに設けられることを特徴とする請求項２に記載の濾過蓋付き飲料容器。
【請求項６】
前記湾曲補助溝（５４）が３つあり、そのうちの１つの湾曲補助溝（５４）が前記湾曲部（５３）の中央部の内側に位置し、残りの２つの湾曲補助溝（５４）が前記湾曲部（５３）の端部の外側に位置することを特徴とする請求項５に記載の濾過蓋付き飲料容器。
【請求項７】
前記回転リング（５２）の内部に制限リブ（５２１）が設けられ、前記濾過網蓋（３２）に前記制限リブ（５２１）と対応する第１リミット溝（３２３）、第２リミット溝（３２４）が設けられ、
前記折り畳み支持部材（５１）が収容位置になると、前記制限リブ（５２１）が前記第１リミット溝（３２３）に係入し、前記折り畳み支持部材（５１）が支持位置になると、前記制限リブ（５２１）が前記第２リミット溝（３２４）に係入する
ことを特徴とする請求項２に記載の濾過蓋付き飲料容器。
【請求項８】
前記折り畳み支持部材（５１）が３つあることを特徴とする請求項２に記載の濾過蓋付き飲料容器。
【請求項９】
前記底蓋（３１）の内壁に２つの長尺状リブ（３１１）が均一に分布されて設けられ、前記本体（２）の下部に前記長尺状リブ（３１１）と対応するスポット状突起（２２）が設けられ、
前記底蓋（３１）が本体（２）と接続されたとき、前記スポット状突起（２２）が前記長尺状リブ（３１１）の下方に位置し、前記底蓋（３１）の上下移動を制限する
ことを特徴とする請求項１に記載の濾過蓋付き飲料容器。
【請求項１０】
前記底蓋アセンブリ（３）は、前記第３収納空間（３２１）に置かれる内蔵収納カップ（３３）をさらに備え、
前記内蔵収納カップ（３３）は、第４収納空間（３３３）が形成される内側チャンバー体（３３２）と、前記内側チャンバー体（３３２）を閉止する内側チャンバー蓋（３３１）と、を備える
ことを特徴とする請求項１に記載の濾過蓋付き飲料容器。